(57)【要約】エーロゾル容器内に収容されている液体噴射剤中に物質を含む製剤を投薬するための、噴射剤により作動する自己起動式且つ自己復帰式の前記容器用定量バルブが提供される。該バルブを備えた定量噴霧式吸入器に使用するためのキャニスターもまた提供される。
2004501843.tif 000002
【特許請求の範囲】
【請求項１】
エーロゾル容器内に収容されている液体噴射剤中に物質を含む製剤を投薬するための、噴射剤により作動する自己起動式且つ自己復帰式の前記容器用定量バルブ。
【請求項２】
ラッチング手段を備える、請求項１に記載のバルブ。
【請求項３】
バルブが呼吸により作動され、且つラッチング手段が呼吸起動ロックを備える、請求項２に記載のバルブ。
【請求項４】
ラッチング手段が、機械的な手動起動ロック、および／または電子起動ロック、および／または電気作動式起動ロックを備える、請求項２または３に記載のバルブ。
【請求項５】
バルブ本体内で動くことのできるバルブ部材を備え、該バルブ部材が第一反作用面と第二反作用面とを有しており、噴射剤により与えられる第一反作用面への圧力が該バルブ部材をバルブ本体内の第一位置から第二位置に動かし、噴射剤により与えられる第二反作用面への圧力が該バルブ部材を第一位置に復帰させる、請求項１〜４のいずれか１項に記載のバルブ。
【請求項６】
第一位置と第二位置との間をバルブ部材が動くことで、製剤の１回用量をバルブから放出する第一投薬過程と、製剤の第二の用量をバルブから放出する第二投薬過程との間でバルブが切り替えられる、請求項５に記載のバルブ。
【請求項７】
バルブ部材とバルブ本体とが、第一定容量を有する第一定量チャンバーおよび第二定容量を有する第二定量チャンバーを規定する、請求項５または６に記載のバルブ。
【請求項８】
第一定容量と第二定容量とが等しい、請求項７に記載のバルブ。
【請求項９】
バルブ本体が、第一定量チャンバーへの製剤の自由な流入による第一定容量の形成を可能にする第一のプライミング口と、第二定量チャンバーへの製剤の自由な流入による第二定容量の形成を可能にする第二のプライミング口とを有する、請求項７または８に記載のバルブ。
【請求項１０】
バルブ部材が弁棒であり、噴射剤により与えられる圧力がバルブ本体内での該弁棒の往復ピストン動作を引き起こすことでバルブが第一投薬過程と第二投薬過程との間で切り替えられる、請求項６〜９のいずれか１項に記載のバルブ。
【請求項１１】
弁棒とバルブ本体とが環状の第一定量チャンバーと第二定量チャンバーとを規定する、請求項１０に記載のバルブ。
【請求項１２】
第一反作用面が第一ピストンヘッド面を形成し、第二反作用面が第二ピストンヘッド面を形成する、請求項１０または１１に記載のバルブ。
【請求項１３】
第二反作用面の断面積が第一反作用面の断面積よりも大きい、請求項１２に記載のバルブ。
【請求項１４】
バルブ部材が回転盤であり、噴射剤により与えられる圧力がバルブ本体内での該回転盤の時計周りまたは反時計周りの回転を引き起こすことでバルブが第一投薬過程と第二投薬過程との間で切り替えられる、請求項６〜９のいずれか１項に記載のバルブ。
【請求項１５】
バルブ部材が回転盤であり、噴射剤により与えられる圧力がバルブ本体内での該回転盤の時計周りまたは反時計周りの回転を引き起こすことでバルブが第一投薬過程と第二投薬過程との間で動かされる、請求項６〜９のいずれか１項に記載のバルブ。
【請求項１６】
回転盤とバルブ本体とが楔型で環状の第一定量チャンバーと第二定量チャンバーとを規定する、請求項１４または１５に記載のバルブ。
【請求項１７】
第一定量チャンバーおよび第二定量チャンバーのそれぞれが該回転盤に規定される２つの向かい合う面、すなわちリーディング面と第二面とを有しており、リーディング面は第二面よりもより大きな断面積を有しているために第一のリーディング面が第一反作用面であり、第二のリーディング面が第二反作用面である、請求項１６に記載のバルブ。
【請求項１８】
第一反作用面と第二反作用面の断面積が等しい、請求項１７に記載のバルブ。
【請求項１９】
バルブ部材が、次の段階：
（ｉ） 第一投薬過程の途中；および／または、
（ｉｉ） 第二投薬過程の途中、
の１以上においてラッチング手段により拘束される、請求項６〜１８のいずれか１項に記載のバルブ。
【請求項２０】
バルブが、第一定量チャンバーおよび／または第二定量チャンバーがエーロゾル容器内の製剤と自由な流れにより連通する位置でラッチされる、請求項１９に記載のバルブ。
【請求項２１】
バルブが患者の呼吸サイクルを監視するためのモニターを備える、請求項３〜２０のいずれか１項に記載のバルブ。
【請求項２２】
モニターが、
（ｖｉ） 呼吸サイクルに伴う圧力プロフィール（例えば圧力変換器）；および／または、
（ｖｉｉ） 呼吸サイクルに伴う空気流プロフィール（バネ入り羽根センサーおよび／または風速計）；および／または、
（ｖｉｉｉ） 呼吸サイクルに伴う温度プロフィール；および／または、
（ｉｘ） 呼吸サイクルに伴う湿度プロフィール；および／または、
（ｘ） 呼吸サイクルに伴う化学的プロフィール、
を検出するための１以上のセンサーを備える、請求項２１に記載のバルブ。
【請求項２３】
モニターが引き金点にて製剤を投薬するためのシグナルを提供する、請求項２１または２２に記載のバルブ。
【請求項２４】
モニターが、最適な引き金点を予測するための予測アルゴリズムを有する電子情報処理装置を備える、請求項２３に記載のバルブ。
【請求項２５】
内側シールおよび／または外側シールがそれぞれ、バルブ部材の内側端部および／または外側端部とバルブ本体との間で機能して、それらの間の第一定量チャンバーおよび／または第二定量チャンバーを密閉する、請求項１〜２４のいずれか１項に記載のバルブ。
【請求項２６】
第二定量チャンバーが、バルブ本体を貫く少なくとも１つの戻り流路によってエーロゾル容器内の製剤と連通している、請求項７〜２１のいずれか１項に記載のバルブ。
【請求項２７】
バルブ部材が少なくとも１つの窪みまたは孔を有し、第二定量チャンバーがその１つまたは各窪みを介して１つまたは各戻り流路と連通している、請求項２６に記載のバルブ。
【請求項２８】
出口手段が、エーロゾル製剤を、出口ノズルまたは出口オリフィスのいずれかに導くか、または該製剤が更なる放出経路から放出されるようにバルブの異なる場所に導く、請求項１〜２７のいずれか１項に記載のバルブ。
【請求項２９】
定量噴霧式吸入器に使用するための請求項１〜２８のいずれか１項に記載のバルブ。
【請求項３０】
液体噴射剤中に物質を含む製剤を収容する、請求項１〜２９のいずれか１項に記載のバルブ。
【請求項３１】
実質的に特許請求の範囲で規定され添付図面に関連するバルブ。
【請求項３２】
請求項１〜３１のいずれか１項に記載のバルブを有する定量噴霧式吸入器に使用するためのキャ二スター。
【請求項３３】
薬物とフルオロカーボン噴射剤とを含む医薬エーロゾル製剤を収容する請求項３２に記載のキャ二スター。
【請求項３４】
噴射剤が液化ＨＦＡ １３４ａ、２２７またはそれらの混合物である、請求項３３に記載のキャ二スター。
【請求項３５】
噴射剤が実質的にアジュバントを含まない、請求項３３または３４に記載のキャ二スター。
【請求項３６】
薬物が、プロピオン酸フルチカゾン、サルブタモール、ジプロピオン酸ベクロメタゾン、サルメテロール、その薬学的に許容できる塩、溶媒和物またはエステル、およびそれらの混合物から選択される、請求項３３〜３５のいずれか１項に記載のキャニスター。
【請求項３７】
実質的に特許請求の範囲で規定され添付図面に関連するキャニスター。
【請求項３８】
請求項１〜３１のいずれか１項に記載のバルブ、および／または請求項３２〜３７にいずれか１項に記載のキャニスターを備える定量噴霧式吸入器。
【請求項３９】
呼吸起動式装置を備える、請求項３８に記載の定量噴霧式吸入器。
【請求項４０】
呼吸起動式装置が患者の呼吸サイクルを監視するためのモニターを備える、請求項３９に記載の定量噴霧式吸入器。
【請求項４１】
モニターが、
（ｘｉ） 呼吸サイクルに伴う圧力プロフィール（例えば圧力変換器）；および／または、
（ｘｉｉ） 呼吸サイクルに伴う空気流プロフィール（バネ入り羽根センサーおよび／または風速計）；および／または、
（ｘｉｉｉ） 呼吸サイクルに伴う温度プロフィール；および／または、
（ｘｉｖ） 呼吸サイクルに伴う湿度プロフィール；および／または、
（ｘｖ） 呼吸サイクルに伴う化学的プロフィール、
を検出するための１以上のセンサーを備える、請求項４０に記載の定量噴霧式吸入器。
【請求項４２】
モニターが引き金点にて製剤を投薬するためのシグナルを提供する、請求項４０または４１に記載の定量噴霧式吸入器。
【請求項４３】
モニターが、最適な引き金点を予測するための予測アルゴリズムを有する電子情報処理装置を備える、請求項４２に記載の定量噴霧式吸入器。
【請求項４４】
実質的に特許請求の範囲に記載され添付図面に関連する定量噴霧式吸入器。
【請求項４５】
液体噴射剤中に物質を含む製剤を定量噴霧式吸入器から投薬する方法であって、請求項１〜３１のいずれか１項に記載のバルブの使用、および／または請求項３２〜３７のいずれか１項に記載のキャニスターの使用、および／または請求項３８〜４４のいずれか１項に記載の定量噴霧式吸入器の使用を含み、１回用量を投薬した後に該吸入器が更なる用量の放出のために自動的に準備される、前記方法。
【請求項４６】
液体噴射剤中に物質を含む製剤を定量噴霧式吸入器から投薬する方法であって、噴射剤により与えられる第一反作用面への圧力がバルブ部材を第一位置から第二位置に動かし、噴射剤により与えられる第二反作用面への圧力が該バルブ部材を第一位置に復帰させる、噴射剤により駆動されて作動するサイクルを含む、１回用量を投薬した後に該吸入器が更なる用量の放出のために自動的に準備される、前記方法。
【請求項４７】
噴射剤により駆動されて作動するサイクルが、
（ｉ） 噴射剤により駆動される、第一に充填する第一定量チャンバーの形成；
（ｉｉ） 規定された第一定容量の形成；
（ｉｉｉ） 第一定容量を患者に放出する第一投薬状態；
を含む第一投薬過程、および、
（ｉ） 第二定量チャンバーへの製剤の自由な流入を可能にする第二充填状態；
（ｉｉ） 規定された第二定容量の形成；
（ｉｉｉ） 第二定容量を患者に放出する第二投薬状態；
（ｉｖ） 第一充填状態への復帰；
を含む第二投薬過程、を含む請求項４６に記載の方法。
【請求項４８】
実質的に特許請求の範囲に記載され添付図面に関連する方法。
【請求項４９】
定量噴霧式吸入器における、請求項１〜３１のいずれか１項に記載のバルブ、および／または請求項３２〜３７のいずれか１項に記載のキャニスターの使用。
【請求項５０】
薬物とフルオロカーボン噴射剤とを含む医薬エーロゾル製剤を投薬するための、請求項１〜３１のいずれか１項に記載のバルブ、および／または請求項３２〜３７のいずれか１項に記載のキャニスター、および／または請求項３８〜４４のいずれか１項に記載の定量噴霧式吸入器の使用。
【請求項５１】
投薬する医薬エーロゾル製剤が、液化ＨＦＡ １３４ａ、２２７またはそれらの混合物から選択される噴射剤中に懸濁した薬物である請求項５０に記載の使用。
【請求項５２】
噴射剤が実質的にアジュバントを含まない、請求項５０または５１に記載の使用。
【請求項５３】
薬物が、プロピオン酸フルチカゾン、サルブタモール、ジプロピオン酸ベクロメタゾン、サルメテロール、その薬学的に許容できる塩、溶媒和物またはエステル、およびそれらの混合物から選択される、請求項５０〜５２のいずれか１項に記載の使用。
【請求項５４】
実質的に特許請求の範囲に記載され添付図面に関連する使用。
【発明の詳細な説明】
【０００１】
本発明はエーロゾル容器に使用するためのバルブに関する。特に、本発明は噴射剤により駆動される自己復帰式の機構を有するバルブに関する。
【０００２】
呼吸器および鼻の疾患を治療するための薬物はエーロゾル製剤として口または鼻から投与することが多い。かかるエーロゾル薬物製剤を投薬するための広く使用されている方法の１つに、液化ガス噴射剤中の懸濁液または溶液として薬物を製剤化することが挙げられる。当該懸濁液／溶液は、噴射剤を液体として維持するのに必要な圧力に耐えることができる密封キャニスター中に保存される。当該懸濁液／溶液は、キャニスターに取り付けられた用量定量バルブの起動により放出される。
【０００３】
定量バルブは一般的に一定の容積を有する定量チャンバーを備えるとともに、１回の動作あたりに正確な所定の用量の薬物を投与するように設計されている。懸濁液が、噴射剤の高い蒸気圧により用量定量バルブを通ってキャニスターから追い出されると、噴射剤は迅速に蒸発して、薬物製剤の微粒子からなる高速移動雲を残す。この粒子雲は、円筒体または端の開いた円錐体のようなチャネリング器具により患者の鼻または口に導かれる。エーロゾル用量定量バルブの起動と同時に、患者は薬物粒子を肺または鼻腔内に薬物粒子を吸入する。こうして薬物を投薬するシステムは「定量噴霧式吸入器」（ＭＤＩ）として知られている。この形態の治療についての一般的な背景については、Ｐｅｔｅｒ Ｂｙｒｏｎ， Ｒｅｓｐｉｒａｔｏｒｙ Ｄｒｕｇ Ｄｅｌｉｖｅｒｙ， ＣＲＣ Ｐｒｅｓｓ， Ｂｏｃａ Ｒａｔｏｎ， ＦＬ （１９９０） を参照されたい。
【０００４】
患者は、衰弱させ、場合によっては生命を脅かす呼吸器疾患の迅速な治療のためにＭＤＩにより送達される薬剤に頼ることが多い。したがって、患者に送達されるエーロゾル薬剤の規定服用量は製造業者が主張する規格と一致し、かつＦＤＡおよび他の監督当局の要求を満たしていることが必須である。すなわち、キャニスターから送達される各回の用量は狭い許容範囲内で同じでなければならない。
【０００５】
加圧容器について使用するための従来の定量バルブは、環状定量チャンバーを規定するバルブ部材内で同軸上でスライドできる弁棒と、該弁棒の外側端部および内側端部のそれぞれと該バルブ部材との間で機能できる、それらの間にある定量チャンバーを密閉するための、内側シールおよび外側シールとを含む。該弁棒は中空であり、それによって、該弁棒が投薬位置にないときに定量チャンバーは容器と繋がりそこから製品が供給される。弁棒は投薬位置に移動することができ、その位置で定量チャンバーは容器から隔離され、そして製品の放出のために大気に通じる。停止しているときは、バルブは、例えばバネによってまたは噴射剤組成物により与えられる内部圧力によって、非投薬位置または投薬位置に偏っていてよい。
【０００６】
しかしながら、従来の全ての噴射剤により駆動される投薬器は手動により起動することおよび毎回の用量放出の前にリセットすることが必要である。したがって、本発明の目的は、噴射剤により駆動される機構を使用してバルブを起動させるとともに自動的にバルブをリセットすることで、次回の用量を投薬するための準備をすることが可能な、エーロゾル容器に使用するためのバルブを提供することである。
【０００７】
したがってある形態では、本発明は、エーロゾル容器内に収容されている液体噴射剤中に物質を含む製剤を投薬するための、噴射剤により作動する自己起動式（ｓｅｌｆ−ａｃｔｉｖａｔｉｎｇ）且つ自己復帰式（ｓｅｌｆ−ｒｅｔｕｒｎｉｎｇ）の前記容器用定量バルブを提供する。
【０００８】
好ましくは、該バルブはラッチング手段を備える。
【０００９】
ある実施形態では、該バルブは呼吸により作動することができ、かつラッチング手段が呼吸起動（ｂｒｅａｔｈ−ａｃｔｉｖａｔｉｏｎ）ロックであってよい。
【００１０】
あるいはまたは加えて、該ラッチング手段は、機械的な手動起動（ｍａｎｕａｌ ａｃｔｉｖａｔｉｏｎ）ロック、および／または電子起動（ｅｌｅｃｔｒｏｎｉｃ ａｃｔｉｖａｔｉｏｎ）ロック、および／または電気作動式（ｅｌｅｃｔｒｉｃａｌｌｙ−ｏｐｅｒａｂｌｅ ａｃｔｉｖａｔｉｏｎ）起動ロックを含んでいてよい。
【００１１】
より好ましくは、該バルブは、バルブ本体内で動くことのできるバルブ部材を備えていてよく、ここで該バルブ部材は、第一反作用面（ｒｅａｃｔｉｏｎ ｓｕｒｆａｃｅ）と第二反作用面とを有しており、噴射剤により与えられる第一反作用面への圧力が該バルブ部材をバルブ本体内の第一位置から第二位置に動かし、噴射剤により与えられる第二反作用面への圧力が該バルブ部材を第一位置に復帰させる。
【００１２】
典型的には、第一位置と第二位置との間をバルブ部材が動くことで、製剤の１回用量をバルブから放出する第一投薬過程（ｄｉｓｐｅｎｓｉｎｇ ｓｅｑｕｅｎｃｅ）と、製剤の第二の用量をバルブから放出する第二投薬過程との間でバルブが切り替えられる。
【００１３】
バルブ部材とバルブ本体は、第一定容量（ｍｅｔｅｒｉｎｇ ｖｏｌｕｍｅ）を有する第一定量チャンバーおよび第二定容量を有する第二定量チャンバーを規定できる。第一定容量は第二定容量と等しくてよい。
【００１４】
好ましくは、バルブ本体は、第一定量チャンバーへの製剤の自由な流入による第一定容量の形成を可能にする第一のプライミング口と、第二定量チャンバーへの製剤の自由な流入による第二定容量の形成を可能にする第二のプライミング口とを有する。
【００１５】
ある実施形態では、バルブ部材が弁棒であり、噴射剤により与えられる圧力がバルブ本体内での該弁棒の往復ピストン動作を引き起こすことでバルブが第一投薬過程と第二投薬過程との間で切り替えられる。
【００１６】
弁棒とバルブ本体とは、環状の第一定量チャンバーと第二定量チャンバーとを規定することができる。
【００１７】
第一反作用面は第一ピストンヘッド面を形成することができ、第二反作用面は第二ピストンヘッド面を形成することができる。
【００１８】
本発明のバルブはキャニスター内の噴射剤により与えられる圧力を用いてバルブ部材をある方向に移動させ、次いでバルブをその元の位置に復帰させる。ある実施形態では、バルブ部材がある方向に移動する際に一方の定量チャンバーが１用量を集め、バルブ部材がその移動方向を逆戻りする際に他方の定量チャンバーが１用量を集める。したがってある実施形態では、該バルブ部材が弁棒である場合に、下方向へのピストン動作が１用量の製剤を放出し、上方向へのピストン動作がさらに１用量の製剤を放出する。
【００１９】
典型的には、第二反作用面の断面積は第一反作用面の断面積よりも大きい。
【００２０】
他の実施形態では、バルブ部材は回転盤であり、噴射剤により与えられる圧力がバルブ本体内での該回転盤の時計周りまたは反時計周りの回転を引き起こすことでバルブが第一投薬過程と第二投薬過程との間で切り替えられる。
【００２１】
あるいは、バルブ部材は回転盤であり、噴射剤により与えられる圧力がバルブ本体内での該回転盤の時計周りまたは反時計周りの回転を引き起こすことでバルブを第一投薬過程と第二投薬過程との間で動かすことができる。
【００２２】
好ましくは、回転盤とバルブ本体とは、楔型で環状の第一定量チャンバーと第二定量チャンバーとを規定する。
【００２３】
典型的には、第一定量チャンバーおよび第二定量チャンバーのそれぞれは、該回転盤に規定される２つの向かい合う面、すなわちリーディング面と第二面とを有しており、リーディング面は第二面よりもより大きな断面積を有しているために第一のリーディング面が第一反作用面であり、第二のリーディング面が第二反作用面である。
【００２４】
第一反作用面と第二反作用面とは、断面積が等しくてもよい。
【００２５】
好ましくは、バルブ部材は、次の段階：
（ｉ） 第一投薬過程の途中；および／または、
（ｉｉ） 第二投薬過程の途中、
の１以上においてラッチング手段により拘束される。
【００２６】
バルブは、第一定量チャンバーおよび／または第二定量チャンバーがエーロゾル容器内の製剤と自由な流れにより連通する位置でラッチすることができる。
【００２７】
同調させる技術が低い患者および／または呼吸能力が不確かな患者の要望に応えるべく、呼吸により起動できるまたは呼吸により補助される吸入器具が開発されている。かかる器具は典型的には、患者の内方向への呼吸に応答して薬物の放出を引き起こす呼吸トリガー機構を有する。
【００２８】
好ましくは、呼吸により作動するバルブは、患者の呼吸サイクルを監視するためのモニター、例えば空気流に応答して動くことができる１以上の羽根または帆、を有する。
【００２９】
好ましくは、該モニターは、
（ｉ） 呼吸サイクルに伴う圧力プロフィール（例えば圧力変換器）；および／または、
（ｉｉ） 呼吸サイクルに伴う空気流プロフィール（バネ入り羽根センサー（ｓｐｒｕｎｇ ｖａｎｅ ｓｅｎｓｏｒｓ）および／または風速計）；および／または、
（ｉｉｉ） 呼吸サイクルに伴う温度プロフィール；および／または、
（ｉｖ） 呼吸サイクルに伴う湿度プロフィール；および／または、
（ｖ） 呼吸サイクルに伴う化学的プロフィール、
を検出するための１以上のセンサーを備える。
【００３０】
典型的には、モニターは、引き金点にて製剤を投薬するためのシグナルを提供する。引き金点は患者の肺が空になる点と一致する。
【００３１】
モニターは、場合により最適な引き金点を予測するための予測アルゴリズムを有する電子情報処理装置を備えてもよい。
【００３２】
好ましくは、内側シールおよび外側シールはそれぞれ、バルブ部材の内側端部および／または外側端部とバルブ本体との間で機能して、それらの間の第一定量チャンバーおよび／または第二定量チャンバーを密閉する。
【００３３】
ある実施形態では、第二定量チャンバーは、バルブ本体を貫く少なくとも１つの戻り流路によってエーロゾル容器内の製剤と連通している。
【００３４】
好ましくは、バルブ部材は少なくとも１つの窪みまたは孔を有し、第二定量チャンバーがその１つまたは各窪みを介して１つまたは各戻り流路と連通している。
【００３５】
好ましくは、バルブは、エーロゾル製剤を、出口ノズルまたは出口オリフィスのいずれかに導くか、または該製剤が更なる放出経路から放出されるようにバルブの異なる場所に導く出口手段を備える。
【００３６】
典型的には、本発明のバルブは定量噴霧式吸入器に使用するためのものである。
【００３７】
本明細書中で使用する場合、用語「定量噴霧式吸入器」または「ＭＤＩ」は、キャニスター、キャニスターの口を覆うクリンプキャップ、キャップ内にある薬物定量バルブ、定量チャンバーおよびキャニスターがかみ合う適当なチャネリング器具を含む装置を意味する。用語「薬物定量バルブ」または「ＭＤＩバルブ」は所定量の薬物製剤を各動作ごとにＭＤＩから送達するバルブおよびそれに関連する機構を指す。チャネリング器具には、例えばバルブおよび薬物が充填されたＭＤＩ缶からＭＤＩバルブを経て患者の鼻または口に薬物を送達させ得る円筒形または円錐形の通路のための作動器具（例えばマウスピースアクチュエータ）が含まれる。典型的なＭＤＩの部品の関係は米国特許第５，２６１，５３８号に説明されている。
【００３８】
ある実施形態ではバルブは液体噴射剤中に物質を含む製剤を収容する。
【００３９】
別の実施形態では、本発明は、ここまでに規定したバルブを有する定量噴霧式吸入器に使用するためのキャ二スターを提供する。
【００４０】
典型的には、キャ二スターは薬物とフルオロカーボン噴射剤とを含む医薬エーロゾル製剤を収容する。
【００４１】
本発明は任意のエーロゾル製剤の投薬に利用できるが、一般的に使用されるエーロゾル製剤は、薬物の溶液／懸濁液および１以上の液体噴射剤を含み、場合により共噴射剤 （ｃｏ−ｐｒｏｐｅｌｌａｎｔ）と、場合によりアジュバントまたは界面活性剤とを含む。
【００４２】
好ましくは、噴射剤は、液化ＨＦＡ １３４ａ、２２７またはそれらの混合物である。
【００４３】
典型的には、噴射剤は実質的にアジュバントを含まない。
【００４４】
薬物は、プロピオン酸フルチカゾン、サルブタモール、ジプロピオン酸ベクロメタゾン、サルメテロール、その薬学的に許容できる塩、溶媒和物またはエステル、およびそれらの混合物から選択することができる。
【００４５】
さらに他の実施形態では、本発明はここまでに規定したバルブ、および／またはここまでに規定したキャニスターを含む定量噴霧式吸入器を提供する。
【００４６】
ある実施形態では、定量噴霧式吸入器は呼吸起動式装置を備える。
【００４７】
典型的には、呼吸起動式装置は患者の呼吸サイクルを観察するためのモニターを備える。
【００４８】
好ましくは、モニターは、
（ｉ） 呼吸サイクルに伴う圧力プロフィール（例えば圧力変換器）；および／または、
（ｉｉ） 呼吸サイクルに伴う空気流プロフィール（バネ入り羽根センサーおよび／または風速計）；および／または、
（ｉｉｉ） 呼吸サイクルに伴う温度プロフィール；および／または、
（ｉｖ） 呼吸サイクルに伴う湿度プロフィール；および／または、
（ｖ） 呼吸サイクルに伴う化学的プロフィール、
を検出するための１以上のセンサーを備える。
【００４９】
該モニターは、引き金点にて製剤を投薬するためのシグナルを提供することができる。該モニターは、最適な引き金点を予測するための予測アルゴリズムを有する電子情報処理装置を備えてもよい。
【００５０】
さらに他の形態では、本発明は、液体噴射剤中に物質を含む製剤を定量噴霧式吸入器から投薬する方法であって、ここまでに規定したバルブの使用、および／またはここまでに規定したキャニスターの使用を含み、１回用量を投薬した後に定量噴霧式吸入器が更なる用量の放出のために自動的に準備される方法を提供する。
【００５１】
さらに他の形態では、本発明は、液体噴射剤中に物質を含む製剤を定量噴霧式吸入器から投薬する方法であって、噴射剤により与えられる第一反作用面への圧力がバルブ部材を第一位置から第二位置に動かし、噴射剤により与えられる第二反作用面への圧力が該バルブ部材を第一位置に復帰させる、噴射剤により駆動されて作動するサイクルを含む、１回用量を投薬した後に該吸入器が更なる用量の放出のために自動的に準備される方法を提供する。
【００５２】
典型的には、噴射剤により駆動されて作動するサイクルが、
（ｉ） 第一定量チャンバーへの製剤の自由な流入を可能にする第一充填状態（ｃｈａｒｇｉｎｇ ｐｏｓｉｔｉｏｎ）の噴射剤駆動による形成；
（ｉｉ） 規定された第一定容量の形成；
（ｉｉｉ） 第一定容量を患者に放出する第一投薬状態（ｄｉｓｐｅｎｓｉｎｇ ｐｏｓｉｔｉｏｎ）；
を含む第一投薬過程、および、
（ｉ） 第二定量チャンバーへの製剤の自由な流入を可能にする第二充填状態；
（ｉｉ） 規定された第二定容量の形成；
（ｉｉｉ） 第二定容量を患者に放出する第二投薬状態；
（ｉｖ） 第一充填状態への復帰；
を含む第二投薬過程、を含む。
【００５３】
さらに別の側面では、本発明は、定量噴霧式吸入器における、ここまでに規定したバルブ、および／またはここまでに規定したキャニスターの使用を提供する。
【００５４】
好ましくは、本発明は、薬物とフルオロカーボン噴射剤とを含む医薬エーロゾル製剤を投薬するための、ここまでに規定したバルブおよび／またはキャニスターおよび／または定量噴霧式吸入器の使用を提供する。
【００５５】
好ましくは、投薬する医薬エーロゾル製剤は、液化ＨＦＡ １３４ａ、２２７またはそれらの混合物から選択される噴射剤中に懸濁した薬物である。
【００５６】
典型的には、噴射剤は実質的にアジュバントを含まない。
【００５７】
薬物は、プロピオン酸フルチカゾン、サルブタモール、ジプロピオン酸ベクロメタゾン、サルメテロール、その薬学的に許容できる塩、溶媒和物またはエステル、およびそれらの混合物から選択することができる。
【００５８】
本発明をさらに添付図面を参照にしてさらに説明する。図面は、本発明を説明する働きをするが限定することを意図するものではない。
【００５９】
図に関して、図１は、バルブ本体４内で往復してスライドすることができる弁棒２を有する本発明の自己復帰式バルブ組立体を示す。該バルブ組立体は、噴射剤含有薬物製剤８を薬物リザーバー１０に収容するキャニスター６のネックに、密閉用キャニスターガスケット１２を介して挿入される。弁棒２は、２つの密閉用リング１６を有するピストンヘッド「Ａ」１４、及び、同じく２つの密閉用リング２０を有するピストンヘッド「Ｂ」１８を持つ。ピストンヘッド「Ａ」及び「Ｂ」の間に規定される第一定量チャンバー２２が存在する。弁棒２は更に、弁棒が更にバルブ本体４内に挿入されたときに、薬物製剤リザーバー１０に連結された戻り流路２６と第二定量チャンバー２８とを連通させる働きをする窪み２４を有する（図４を参照されたい）。
【００６０】
図は、弁棒２とバルブ本体４とにより規定される第二定量チャンバー２８を示すが、該チャンバーは密閉されたピストン／シリンダーの形態をとることも考えられる。さらにまた、弁棒２は１または２成分の成形物から作ることもできる。好ましくは、弁棒２を２成分成形物として製造する。
【００６１】
さらなるシール３０がバルブ本体に存在する。図１中のバルブは、戻しバネ３４を有する呼吸起動式のペグ型ロック（ｐｅｇｌｏｃｋ）３２により拘束されており、該戻しバネにより、第一投薬過程の途中、呼吸による起動後及び薬物放出後にロックが再び閉められる。
【００６２】
図１は第一投薬過程の間の第一充填状態を示す。薬物製剤よりピストンヘッド「Ａ」１４に与えられる圧力は弁棒２がバルブ本体４内を（矢印Ｘで示すように）動くような圧力である。しかしながら、呼吸起動式ロックが弁棒２を拘束しているので、第一定量チャンバー２２は薬物リザーバー１０と直接連通している。
【００６３】
図２では、呼吸起動式ロック３２が解除されており、薬物製剤により与えられる圧力Ｘは弁棒２がバルブ本体４内を下方向に動くような圧力である。こうして第一の密閉された定用量容積３６が第一定量チャンバー２２中に捕らえられ、連続的な圧力によりピストンヘッド「Ｂ」１８が起動ロックを収容するバルブ本体開口部３８を通過するまで動くと、薬物が放出される。
【００６４】
図３では、薬物製剤により与えられる連続的な圧力Ｘがバルブ本体４内で弁棒２を動かして、薬物リザーバー１０まで伸びている戻り流路２６と弁棒２の窪み２４とを直接連通させている。この段階で、薬物製剤８が第二定量チャンバー２８に入り込み始めてピストンヘッド「Ｂ」１８に圧力がかかり始める。このときピストンヘッド「Ａ」１４とピストンヘッド「Ｂ」１８には等しいが対向する圧力がかかっている。しかしながら、ピストンヘッド「Ｂ」１８の圧力がかけられている表面積はピストンヘッド「Ａ」１４の圧力がかけられている表面積よりも大きい。表面にかかる力は表面積に正比例するので、ピストンヘッド「Ｂ」１８上にはより大きな内向きの力がかかっている。従って、図４に示すように、弁棒２は移動方向が反転して、バルブ本体４内を上方に戻り、薬物製剤リザーバー１０と第二定量チャンバー２８との間の窪み２４を介した連絡が絶たれる。この時点で、第二定量チャンバー２８中に密閉された第二定容量４０が存在する。バルブ本体４内での弁棒２のさらなる移動は、呼吸起動式ロック３２により阻止される。ロック３２が更に起動すると、その結果、第二薬物定容量４０の放出が起こる（図５）。第二定量チャンバー２８の排出によりバルブ組立体は図１に示した状態に戻り、サイクルの再始動の準備がなされる。
【００６５】
図６は本発明に係るバルブの別の形態を示している。示されるバルブはロータリーバルブであり、トッププレート４２とボトムプレート４４とを有するバルブ本体を備える。トッププレート４２は、ボトムプレート４４との密封性のある接触を確実にもたらすためにＯ−リングシール４６を有する。バルブ部材は、２つの楔型の定量チャンバー５０、５２を有する回転盤４８の形態をとる。それぞれの楔型チャンバーは２つの向かい合う面、「Ａ」５４および「Ｂ」５６を有している。トッププレート４２は薬物リザーバー（図示していない）と連通している２つの入口穴５８を有している。圧力がかかると薬物製剤は両方の入口穴を通過するが、どの時点においても１つの定量チャンバーだけしか入口穴と位置合わせすることができない。薬物製剤が、噴射剤からの圧力下において、表面「Ａ」および「Ｂ」を有する位置合わせされた定量チャンバー５２に充填される；「Ｂ」の表面積は「Ａ」の表面積よりも大きいので、チャンバーは「Ｂ」の方向に回転する（矢印Ｚを参照されたい）。この時点で（示していない）、定量チャンバー５０は薬物製剤で満たされ、定量チャンバー５２から患者に薬物が放出される。
【００６６】
定量噴霧式吸入器は当該技術分野の方法により製造することができる（例えば 上記のＢｙｒｏｎ、および米国特許第５，３４５，９８０号を参照されたい）。
【００６７】
従来、ＭＤＩに使用するためのキャニスターおよびキャップはアルミニウムまたはアルミニウム合金製であるが、ステンレス鋼、銅合金またはブリキのような薬物製剤により影響されない他の金属を使用することができる。ＭＤＩキャニスターはガラスまたはプラスチックから作製することもできる。しかしながら、好ましくは本発明に使用するＭＤＩキャニスターおよびキャップはアルミニウムまたはその合金製である。
【００６８】
薬物定量バルブは、ステンレス鋼、（アセタール、ポリアミド（例えばＮｙｌｏｎ（登録商標））、ポリカルボネート、ポリエステル、フルオロカーボンポリマー（例えばＴｅｆｌｏｎ（登録商標））等の薬理学的に弾力的なポリマー、またはこれらの素材の組み合わせからなっていてよい。さらに、種々の素材（例えばニトリルゴム、ポリウレタン、アセチル樹脂、フルオロカーボンポリマー）または他のエラストマー素材のシールおよび“Ｏ”リングをバルブおよびその周囲に使用する。
【００６９】
密閉用リングは好適な素材のシートからリングを切出すことにより形成することができる。あるいは、密閉用リングは、射出成形法、圧縮成形法またはトランスファー成形法のような成形法により形成することができる。
【００７０】
典型的には、密閉用リングおよび／または第二の密閉用リングはエラストマー素材を含む。このリングは典型的には弾力的に変形可能である。
【００７１】
エラストマー素材は、熱可塑性エラストマー（ＴＰＥ）または場合により架橋されていてよい熱硬化エラストマーのいずれかを含む。密閉用リングはまた、エラストマー素材が熱可塑性マトリックス中に分散している熱可塑性エラストマーブレンドまたはアロイを含む。エラストマーは場合によりさらに、好適な量の加工助剤、着色剤、粘着付与剤、潤滑剤、シリカ、タルク、または鉱油のような加工油のような、通常のポリマー添加物を含み得る。
【００７２】
好適な熱硬化性ゴムには、ブチルゴム、クロロブチルゴム、ブロモブチルゴム、ニトリルゴム、シリコンゴム、フルオロシリコンゴム、フルオロカーボンゴム、多硫化ゴム、ポリプロピレンオキシドゴム、イソプレンゴム、イソプレン−イソブテンゴム、イソブチレンゴムまたはネオプレン（ポリクロロプレン）ゴムが含まれる。
【００７３】
好適な熱可塑性エラストマーは、当該技術分野において既知の、約８０〜約９５モル％のエチレンと、合計して約５〜約２０モル％の１−ブテン、１−ヘキセンおよび１−オクテンからなる群から選択される１以上のコモノマーとのコポリマーを含む。２以上のかかるコポリマー同士を混合して熱可塑性のポリマーブレンドを形成することができる。
【００７４】
熱可塑性エラストマーの他の好適な種類は、スチレン−エチレン／ブチレン−スチレンブロックコポリマーである。これらのコポリマーはさらにポリオレフィン（例えばポリプロピレン）およびシロキサンを含むことができる。
【００７５】
熱可塑性エラストマー素材はまた次のうちの１以上から選択することもできる：ポリエステルゴム、ポリウレタンゴム、エチレン酢酸ビニルゴム、スチレンブタジエンゴム、コポリエーテルエステルＴＰＥ、オレフィンＴＰＥ、ポリエステルアミドＴＰＥおよびポリエーテルアミドＴＰＥ。
【００７６】
他の好適なエラストマーにはエチレンプロピレンジエンゴム（ＥＰＤＭ）が含まれる。ＥＰＤＭは単独でまたは熱可塑性エラストマーブレンドもしくはアロイの一部として、例えば連続的な熱可塑性マトリックス（例えばポリプロピレンまたはポリエチレン）中に実質的に均一に分散した粒子の形態で存在し得る。市販の熱可塑性エラストマーブレンドおよびアロイには、ＳＡＮＴＯＰＲＥＮＥ（商標）エラストマーが含まれる。他の好適な熱可塑性エラストマーブレンドには、ブチル−ポリエチレン（例えば約２：３〜約３：２の範囲の比）およびブチル−ポリプロピレンが含まれる。
【００７７】
医薬エーロゾル懸濁液と接触するバルブの任意の部品は、薬物が付着する傾向を減じるフルオロポリマー素材のような素材で被覆することができる。好適なフルオロポリマーには、ポリテトラフルオロエチレン（ＰＴＦＥ）およびフルオロエチレンプロピレン（ＦＥＰ）が含まれる。任意の可動部品には、所望の運動特性を高める被覆が施されていてもよい。
【００７８】
従って、摩擦接触を高めるために摩擦被覆を施すことができ、また、必要であれば摩擦接触を減じるために潤滑剤を使用することができる。
【００７９】
典型的には、密閉用リングおよび／または第二密閉用リングは潤滑性素材を更に含む。好適には、密閉用リングおよび／または第二密閉用リングは最大で３０％、好ましくは５〜２０％の潤滑性素材を含む。
【００８０】
加えて、弁棒もまた潤滑性素材を含み得る。好適には、弁棒は最大で３０％、好ましくは５〜２０％の潤滑性素材を含む。
【００８１】
用語「潤滑剤」は本明細書中では弁棒とシールとの間の摩擦を減じる任意の素材を意味する。好適な潤滑剤には、シリコンオイルまたはポリテトラフルオロエタン（ＰＴＦＥ）もしくはフルオロエチレンプロピレン（ＦＥＰ）のようなフルオロカーボンポリマーが含まれる。
【００８２】
潤滑剤は、弁棒、密閉用リングまたは第二密閉用リングに、被覆および含浸（注入法またはタンポナーデ法）を含む任意の好適な方法により施すことができる。
【００８３】
医療用途では、本発明のキャニスターは薬物およびフルオロカーボンまたは水素含有クロロフルオロカーボン噴射剤を含む医薬エーロゾル製剤を含む。
【００８４】
好適な噴射剤には、例えば、ＣＨ２ＣｌＦ、ＣＣｌＦ２ＣＨＣｌＦ、ＣＦ３ＣＨＣｌＦ、ＣＨＦ２ＣＣｌＦ２、ＣＨＣｌＦＣＨＦ２、ＣＦ３ＣＨ２ＣｌおよびＣＣｌＦ２ＣＨ３のようなＣ１−４水素含有クロロフルオロカーボン； ＣＨＦ２ＣＨＦ２、ＣＦ３ＣＨ２Ｆ、ＣＨＦ２ＣＨ３およびＣＦ３ＣＨＦＣＦ３のようなＣ１−４水素含有フルオロカーボン；ならびに、ＣＦ３ＣＦ３およびＣＦ３ＣＦ２ＣＦ３ようなパーフルオロカーボンが含まれる。
【００８５】
フルオロカーボンまたは水素含有クロロフルオロカーボンの混合物を使用する場合は、それらは先に特定した化合物の混合物であってよく、または、他のフルオロカーボンもしくは水素含有クロロフルオロカーボン（例えばＣＨＣｌＦ２、ＣＨ２Ｆ２およびＣＦ３ＣＨ３）との混合物、好ましくは二成分混合物であってよい。好ましくは、単一のフルオロカーボンまたは水素含有クロロフルオロカーボンを噴射剤として使用する。噴射剤として特に好ましいものは、１，１，１，２−テトラフルオロエタン（ＣＦ３ＣＨ２Ｆ）および１，１，１，２，３，３，３−ヘプタフルオロ−ｎ−プロパン（ＣＦ３ＣＨＦＣＦ３）のようなＣ１−４水素含有フルオロカーボンまたはそれらの混合物である。
【００８６】
本発明のキャニスター中で使用するための医薬製剤は成層圏のオゾンの破壊を引き起こす成分を含まない。特に該製剤はＣＣｌ３Ｆ、ＣＣｌ２Ｆ２およびＣＦ３ＣＣｌ３のようなクロロフルオロカーボンを実質的に含まない。
【００８７】
噴射剤はさらに、例えばプロパン、ｎ−ブタン、イソブタン、ペンタンおよびイソペンタンである飽和炭化水素またはジアルキルエーテル（例えばジメチルエーテル）のような揮発性アジュバントを含み得る。一般的には、噴射剤のうち最大５０％（ｗ／ｗ）が、例えば１〜３０％（ｗ／ｗ）が、揮発性炭化水素であることがある。しかしながら、揮発性アジュバントを含まないまたは実質的に含まない製剤が好ましい。ある場合には、適当量の水を含むことが望ましいことがある。このことは噴射剤の誘電特性を改変するのに有利であり得る。
【００８８】
Ｃ２−６脂肪アルコールおよびポリオール（例えばエタノール、イソプロパノールおよびプロピレングリコール）、好ましくはエタノールのような極性共溶媒が、唯一の賦形剤としてまたは界面活性剤などの他の賦形剤に加えて製剤の分散を改良するのに望ましい量で薬物製剤中に含まれ得る。好適には、薬物製剤は極性共溶媒（例えばエタノール）を、噴射剤に対して０．０１〜５％（ｗ／ｗ）、好ましくは０．１〜５％（ｗ／ｗ）、例えば約０．１〜１％（ｗ／ｗ）含み得る。
【００８９】
界面活性剤もまたエーロゾル製剤に使用することができる。従来の界面活性剤の例は欧州特許第３７２７７７号に開示されている。使用する界面活性剤の量は、薬物に対する重量比が０．０００１％〜５０％の範囲、特に重量比が０．０５〜５％であることが望ましい。好ましい界面活性剤はレシチン、オレイン酸およびトリオレイン酸ソルビタンである。しかしながら好ましい製剤は界面活性剤を含まないか実質的に含まない。
【００９０】
医薬製剤は、該製剤の総重量に対して０．０００１〜５０％（ｗ／ｗ）、好ましくは０．００１〜２０％、例えば０．００１〜１％の糖を含んでいてよい。一般的には薬物対糖の比は、１：０．０１〜１：１００、好ましくは１：０．１〜１：１０の範囲内である。製剤中に使用し得る典型的な糖には、例えばスクロース、ラクトースおよびデキストロース、好ましくはラクトースおよび還元糖（例えばマンニトールおよびソルビトール）が含まれ、微粉化形態または粉砕した形態であることができる。
【００９１】
最終的なエーロゾル製剤は望ましくは、製剤の総重量に対して０．００５〜１０％（ｗ／ｗ）、好ましくは０．００５〜５％（ｗ／ｗ）、特に０．０１〜１．０％（ｗ／ｗ）の薬物を含む。
【００９２】
エーロゾル製剤として投与され得る薬物には、吸入療法に有用な任意の薬物が含まれる。このように適切な薬物は例えば鎮痛薬（例えばコデイン、ジヒドロモルヒネ、エルゴタミン、フェンタニールまたはモルヒネ）；アンギナ製剤（ａｎｇｉｎａｌ ｐｒｅｐａｒａｔｉｏｎ）（例えばジルチアゼム）；抗アレルギー剤（例えばクロモグリケート、ケトチフェンまたはネドクロミル）；抗感染剤（例えばセファロースポリン、ペニシリン、ストレプトマイシン、スルホンアミド、テトラサイクリンおよびペンタミジン）；抗ヒスタミン剤（例えばメタピリレン）；抗炎症剤（例えばベクロメタゾン、フルニソリド、ブデソニド、チプレダン （ｔｉｐｒｅｄａｎｅ）、トリアムシノロンアセトニド、フルチカゾンまたはモメタゾン）；鎮咳薬（例えばノスカピン）；気管支拡張剤（例えばエフェドリン、エピネフリン、フェノテロール、ホルモテロール、イソプレナリン、メタプロテレノール、フェニレフリン、フェニルプロパノールアミン、ピルブテロール、レプロテロール、リミテロール、サルブタモール、サルメテロール、テルブタリン、イソエタリン、ツロブテロール、オルシプレナリン、または （−）−４−アミノ−３，４−ジクロロ−α−［［［６−［２−（２−ピリジニル）エトキシ］ヘキシル］アミノ］メチル］ベンゼンメタノール）；利尿薬（例えばアミロリド）；抗コリン作用薬（例えばイプラトロピウム、アトロピンまたはオキシトロピウム）；ホルモン剤（例えばコルチゾン、ヒドロコルチゾンまたはプレドニゾロン）；キサンチン（例えばアミノフィリン、コリンテオフィリネート、リシンテオフィリネートまたはテオフィリン）；および、治療用タンパク質およびペプチド（例えばインスリンまたはグルカゴン）から選択し得る。適切であれば、薬剤の活性および／もしくは安定性を最適化するために、ならびに／または、噴射剤中での薬物の溶解性を最小にするために、薬剤を、塩の形態で（例えばアルカリ金属塩もしくはアミン塩として、または酸付加塩として）、またはエステル（例えば低級アルキルアステル）として、または溶媒和物（例えば水和物）として使用することができるということは当業者には明らかであろう。さらに、適切であれば、薬物を、純粋な異性体、例えばＲ−サルブタモールまたはＲＲホルモテロールの形態で使用することができるということも当業者には明らかであろう。
【００９３】
本発明のエーロゾル製剤を用いて投与するために特に好ましい製剤には、抗アレルギー剤、気管支拡張剤、および、喘息などの呼吸器疾患の吸入療法による治療に使用する抗炎症ステロイド、例えばクロモグリケート（例えばナトリウム塩として）、サルブタモール（例えば遊離の塩基または硫酸塩として）、サルメテロール（例えばキシナホ酸塩として）、ホルモテロール（例えばフマル酸塩として）、テルブタリン（例えばスルホン酸塩として）、レプロテロール（例えば塩酸塩として）、ベクロメタゾンエステル（例えばジプロピオン酸エステル）、フルチカゾンエステル（例えばプロピオン酸エステル）が含まれる。サルメテロール、特にキシナホ酸サルメテロール、サルブタモール、プロピオン酸フルチカゾン、ジプロピオン酸ベクロメタゾン、およびその生理学的に許容できる塩および溶媒和物が特に好ましい。
【００９４】
本発明のエーロゾル製剤が、所望であれば２種以上の活性成分の組み合わせを含み得ることは当業者により理解されるであろう。２種の活性成分を含有するエーロゾル組成物が喘息などの呼吸器疾患の治療のために知られている。例えば、ホルモテロールおよびブデソニド、サルメテロール（例えばキシナホ酸塩として）およびフルチカゾン（例えばプロピオン酸エステル）、サルブタモールおよびベクロメタゾン（ジプロピオン酸エステルとして）が好ましい。
【００９５】
本発明のキャニスター中で使用するための特に好ましい製剤は、薬物と、噴射剤としてＣ１−４ヒドロフルオロアルカン、特に１，１，１，２−テトラフルオロエタンおよび１，１，１，２，３，３，３−ｎ−ヘプタフルオロプロパンまたはそれらの混合物とを含む。
【００９６】
好ましい製剤は製剤賦形剤を含まないまたは実質的に含まない。このように、好ましい製剤は薬物および選択された噴射剤から実質的になる、またはそれらからなる。
【００９７】
医薬エーロゾル製造のための当業者に周知の従来の大量製造方法および機械は、充填したキャニスターの商業的な生産のための大規模なバッチの調整に使用することができる。このように例えばある大量製造方法では、定量バルブをアルミニウム缶にクリンプして空のキャニスターが形成される。粒子状薬物を充填容器に添加して、液化噴射剤を充填容器を通して製造容器に加圧充填する。薬物懸濁液を充填機に再循環する前に混合し、次いで薬物懸濁液のアリコートを定量バルブを通じてキャニスター内に充填する。典型的には医薬用途のために調製するバッチでは、それぞれの充填したキャニスターの重量を検査し、バッチ番号でコードし、放出試験の前に貯蔵のためにトレイ内に包装する。
【００９８】
それぞれの充填したキャニスターは使用する前に好適なチャネリング器具に好都合に嵌め込まれて、患者の肺または鼻腔内に薬物を投与するための定量噴霧式吸入器を形成する。好適なチャネリング器具は、例えばバルブアクチュエーターと、それを通って薬物が充填されたキャニスターから定量バルブを経て患者の鼻または口に送達される円筒状または円錐状の経路とを含む。例えばマウスピースアクチュエーターである。定量噴霧式吸入器は、１動作あたりまたは「一吹き（ｐｕｆｆ）」あたりに固定された単位用量（例えば一吹きあたり１０〜５０００マイクログラムの範囲）を送達するよう設計されている。
【００９９】
薬物の投与は、軽微な、中程度の、または重篤な急性または慢性の症状の治療のために、または予防処置のために示すことができる。投与される正確な用量は、患者の年齢および症状、使用する特定の粒子状薬物および投与の頻度に依存するであろうし、また究極的には担当医の裁量となるであろうことは理解されよう。薬物の組み合わせを用いる場合は、組合わせたものの各成分の用量は、一般的には、単独で使用した場合に各成分について使用する用量となる。典型的には、投与は、例えば各回に１吹き、２吹き、３吹きまたは４吹きであれば、１日あたり１回以上、例えば１〜８回であってよい。バルブを作動するごとに、例えば５μｇ、５０μｇ、１００μｇ、２００μｇまたは２５０μｇの薬物を送達することができる。典型的には、定量噴霧式吸入器に使用するための充填したキャニスターはそれぞれ、６０、１００、１２０または２００回分の定用量または吹出のための薬物を含む。各薬物の用量は当業者により知られているか容易に確認される。
【０１００】
本発明の更なる態様には、例えば喘息などの呼吸器疾患の治療方法が含まれ、それには、有効量の本明細書に記載するエーロゾル製剤を、本発明の定量噴霧式吸入器から吸入することにより投与することが含まれる。
【０１０１】
示した例は単なる例示であり、特許請求の範囲に規定する本発明の範囲から離れること無くそれに改変を行うことができることが理解されるであろう。
【図面の簡単な説明】
【図１】
図１は、第一投薬過程中の第一充填位置にある、呼吸起動式ロックを有する本発明の自己復帰式バルブを示す。
【図２】
図２は、第一投薬過程中の第一投薬位置にある、図１のバルブを示す。
【図３】
図３は、第二投薬過程中の第二充填位置にある、図１及び２のバルブを示す。
【図４】
図４は、第二投薬過程中の閉じた第二定容量位置にある、図１〜３のバルブを示す。
【図５】
図５は、第二投薬過程中の第二投薬位置にある、図１〜４のバルブを示す。
【図６】
図６は、自己復帰式バルブがロータリーバルブである本発明の別の実施形態を示す。
【図１】
2004501843.tif 000003
【図２】
2004501843.tif 000004
【図３】
2004501843.tif 000005
【図４】
2004501843.tif 000006
【図５】
2004501843.tif 000007
【図６】
2004501843.tif 000008
【国際公開パンフレット】
2004501843.tif 000009
2004501843.tif 000010
2004501843.tif 000011
2004501843.tif 000012
2004501843.tif 000013
2004501843.tif 000014
2004501843.tif 000015
2004501843.tif 000016
2004501843.tif 000017
2004501843.tif 000018
2004501843.tif 000019
2004501843.tif 000020
2004501843.tif 000021
2004501843.tif 000022
2004501843.tif 000023
2004501843.tif 000024
2004501843.tif 000025
2004501843.tif 000026
2004501843.tif 000027
2004501843.tif 000028
2004501843.tif 000029
2004501843.tif 000030
2004501843.tif 000031
2004501843.tif 000032
2004501843.tif 000033
2004501843.tif 000034
2004501843.tif 000035
2004501843.tif 000036
2004501843.tif 000037
2004501843.tif 000038
2004501843.tif 000039
2004501843.tif 000040
【国際調査報告】
2004501843.tif 000041
2004501843.tif 000042
2004501843.tif 000043